(57)【要約】      （修正有）【課題】安全を必要とする場所で危険を防止することで実質的な安全性と安心感を与える安全手摺を提供する。【解決手段】隣接する支柱１間にそれぞれ多数の縦桟３を列設させ縦桟３の上部と支柱１上部に上端部横桟５を渡し縦桟３下部及び支柱１間に下端部横桟４を配置しその各々先端を突き合わせ上端部及び下端部を溶接固定する。その支柱１上端部と交差する上端部横桟５にＹ形ブラケット６の各々基部二股部を内側部、外側部に成して支持部を溶接にて固定する。二股部で分岐維持された先端部に、手摺用横桟８を前後二本渡し溶接にて固定し安全手摺を形成する。【選択図】図１
0003155194.tif 000002
【実用新案登録請求の範囲】
【請求項１】
適当間隔に並列して配置された複数本の支柱と、この支柱の上下端部に各々渡した横桟とを前記上端部側の横桟に固定される支持用基部及びその基部より分岐されると共に並行する前後手摺用横桟を夫々支持する支持用二又部とを有するＹ形ブラケットとで成してことを特徴とする安全手摺。
【請求項２】
前記Ｙ形ブラケットは、各々の基部、支持部、二又部、上端部横桟、前後手摺用横桟を溶接にて一体的に形成したことを特徴とした請求項１記載の安全手摺。
【請求項３】
前記Ｙ形ブラケット基部、二股部で分岐、保持された先端部、手摺用横桟を挿通させるパイプ基部及び支持部、座盤とを溶接固定、基部に手摺用横桟を前後挿通しビス等で固定した安全手摺。
【考案の詳細な説明】
【技術分野】
【０００１】    本考案は、集合住宅等のベランダや安全を必要とする場所に設置される安全手摺に関する。
【背景技術】
【０００２】    従来、手摺は手摺用横桟は一本で構成されているために手摺用横桟を中心に身体が回転し転落する。従ってこの種の見本の手摺用横桟を設けた手摺は見当たらない。【０００３】
【特許文献１】許開平１１−３２４２６６号
【考案の開示】
【考案が解決しようとする課題】
【０００４】    手摺下部に踏み台となる物等に登り身体の上半身が手摺用横桟を乗り越え手摺用横桟と身体が接触した横桟を中心に身体が回転し転落する恐れがある欠点。
【課題を解決するための手段】
【０００５】    適当間隔に並列して配置された複数本の支柱１と、この支柱１の上下端部に各々渡した横桟４，５と前期上端部側の横桟５に固定される支持用基部Ｙ及びその基部Ｙａより分岐されると共に並行する前後手摺用横桟８夫々支持する支持用二股部Ｙｂで構成したＹ形ブラケット６とで成して事を特徴とする安全手摺。
【考案を実施するための形態】
【０００６】    本考案の一実施例について添付図面を参照に説明する。図１は本考案安全手摺用構成図で示している。図２は集合住宅等のベランダのＰＣ板に取り付けた安全手摺の全体を正面図で示しており手摺構成を説明すれば、手摺本体Ｈはステンレス等より成る金属製手摺を示している。各手摺構成銅材は支柱１、縦桟３、下端部横桟４、上端部横桟５、手摺用横桟８は丸パイプで構成されており、Ｙ形ブラケット６、支柱取付金具２は平板を成型し安全手摺を形成されている。
【０００７】    支柱１は図２に示されるように適当数の支柱１は下端部を屈曲した支柱１であり適当間隔に並列しその隣接する支柱１である。支柱１間にそれぞれ多数の縦桟３を列設させ縦桟３の上部と支柱１上部に上端部横桟５を渡し縦桟３下部及び支柱１間に下端部横桟４を配置しその各々先端を突き合わせ上端部及び下端部を溶接固定する。その支柱１上端部と交差する上端部横桟５にＹ形ブラケット６の各々基部二股部Ｙｂを内側部、外側部に成して支持部Ｙａを溶接にて固定する。二股部Ｙｂで分岐維持された先端部Ｙｃに、手摺用横桟８を前後二本渡し溶接にて固定し形成した安全手摺。
【０００８】    図３に示す安全手摺の拡大側断面図支柱１とコンクリート手摺壁８の接合による固定方法、各支柱１下端部に支柱取付金具２の支柱挿通孔１４に挿通し溶接固定する。コンクリート手摺壁９、上端部に対して支柱１取付本数分のアンカー挿通孔１１を配備し挿通したアンカーボルト１０と支柱取付金具２のボルト挿通孔１１に挿通したボルト接合により配置した支柱１を固定することで取り付けを容易に行うことができる。
【０００９】    図４で示すＹ形ブラケット６のＹ形の成型加工はレーザーカットまたはプレス成型された基部Ｙは、支持基部Ｙａは上端部横桟５との接合部に成り溶接にて固定することにより上方向へ傾斜する二股部Ｙｂによって内側部、外側部に維持される両先端部Ｙｃに二本の手摺用横桟８を渡し溶接にて結合したＹ形ブラケット６である。
【００１０】    図５で示すＹ形ブラケット７の各々基部、支持部Ｙａ下部に座盤Ｙｅを突き合わせて溶接固定する。その支持部Ｙａから二股部Ｙｂで分岐維持された先端部Ｙｃに手摺用横桟８を挿通させるパイプ基部Ｙｄを溶接にて結合したＹ形ブラケット７である。一実施例としてコンクリート構築物に取付態様とする。Ｙ形ブラケット７、Ｙの基部を適当数、Ｙの基部を所定間隔に並列し支持部Ｙａから上方向に傾斜する二股部Ｙｂによって内側部、外側部に維持する両先端部にＹｃに二本の手摺用横桟８を前後基部Ｙｄに挿通させ基部Ｙｄに設けたビス挿通孔１３を手摺用横桟８をビス固定するためのガイド孔としてドリル等で二本の手摺用横桟８にビス孔１３を設け基部Ｙｄのビス孔１３にビス等で挿通させ固定することで図５で示すＹ形ブラケット７を使用した安全手摺を形成する。その安全手摺の取り付けはコンクリート構築物の鉄骨や鉄筋に溶接固定又はコンクリート基礎にアンカーボルト挿通孔１１を設け、Ｙ形ブラケット７、Ｙの基部、座盤Ｙｅのボルト挿通孔１２に挿通したボルトで固定し取り付けを容易に行うことができる。
【００１１】    本考案の安全手摺は回転原理を応用し構成した手摺であり簡単に説明すれば鉄棒の前転である。集合住宅等ベランダに物を置くことが多くなりその物が踏み台と成り子供が転落事故を起こす原因となっている。住居使用者よりも建築する側が配意する点である。
【本考案の効果】
【００１２】（１）請求項１により二本の手摺用横桟８が外側部と内側部が上方向へ傾斜維持することで内側部手摺用横桟８が中心に身体が回転した際に内側部より傾斜角度を設けてある。外側部手摺用横桟８で身体の上半身を受け止めることでベランダ等の安全を必要する場所で安全性と安心感を与える。
（２）請求項２により各基部を溶接固定することで各接続部の部品点数が減り、構成を簡単に出来安価に制作、取付施工を容易に行うことができる。
（３）請求項３により本考案Ｙ形ブラケット７、Ｙの基部支持部Ｙａ下部に座盤Ｙｅを固定したＹ形ブラケット７を使用することでコンクリート手摺壁上端部及びコンクリート構築物の鉄骨や鉄筋に溶接固定又はコンクリート基礎部にアンカーボルト挿通孔１１を設けＹ形ブラケット７基部座盤Ｙｅをボルト固定することができる。
【図面の簡単な説明】
【００１３】
【図１】本考案の安全手摺構成図である。
【図２】本考案の一実施態様の金属製安全手摺を手摺用ＰＣ板に取り付けた状態の正面図である。
【図３】その安全手摺の拡大側断面図である。
【図４】前記一実施態様の上端部横桟５及び手摺用横桟８の接続部を溶接にて結合するＹ形ブラケット６の正面図である。
【図５】本考案Ｙ形ブラケット７を多様対応する。Ｙ形ブラケット正面図である。
【図６】支柱取付金具正面図である。
【符号の説明】
【００１４】        Ｈ・・・金属製手摺
Ｐ・・・手摺用ＰＣ板
１・・・支柱
２・・・支柱取付金具
３・・・縦桟
４・・・下端部横桟
５・・・上端部横桟
６・・・Ｙ形ブラケット
７・・・Ｙ形ブラケット
８・・・手摺用横桟
９・・・コンクリート手摺壁
１０・・・アンカーボルト
１１・・・アンカーボルト挿通孔
１２・・・ボルト挿通孔
１３・・・ビス挿通孔
１４・・・支柱挿通孔
Ｙ・・・Ｙ形ブラケット基部
Ｙａ・・・支持部
Ｙｂ・・・二股部
Ｙｃ・・・先端部
Ｙｄ・・・手摺用横桟８を挿通パイプ基部
Ｙｅ・・・座盤
【図１】
0003155194.tif 000003
【図２】
0003155194.tif 000004
【図３】
0003155194.tif 000005
【図４】
0003155194.tif 000006
【図５】
0003155194.tif 000007
【図６】
0003155194.tif 000008
【手続補正書】
【提出日】平成21年8月18日(2009.8.18)
【手続補正１】
【補正対象書類名】実用新案登録請求の範囲
【補正対象項目名】全文
【補正方法】変更
【補正の内容】
【実用新案登録請求の範囲】
【請求項１】
適当間隔に並列して配置された複数本の支柱と、この支柱の上下端部に各々渡した横桟と、前記上端部側の横桟に固定される支持用基部及びその基部より分岐されると共に並行する前後手摺用横桟を夫々支持する支持用二又部とを有するＹ形ブラケットとで成したことを特徴とする安全手摺。
【請求項２】
前記Ｙ形ブラケットは、各々の基部、支持部、二又部と上端部横桟、前後手摺用横桟とを溶接にて一体的に形成したことを特徴とした請求項１記載の安全手摺。
【請求項３】
前記Ｙ形ブラケットは、各々の基部、二又部で分岐、保持された先端部、手摺用横桟を挿通させるパイプ基部及び支持部、座盤とを溶接固定し、且つ基部に手摺用横桟をビス等で固定したことを特徴とした請求項１記載の安全手摺。